(57)【要約】【課題】出荷の際の配替作業を低減して、置場の保管能力を高める。【解決手段】予測した同一ロットに属する物品の置場到着時刻から（ステップＳ１）、同一ロットに属する物品のロット内物品量が所定量以上であるが、同一ロットに属する物品の所定量蓄積時間が所定時間よりも長いと判定したとき（ステップＳ２）、同一ロットに属する物品のロット蓄積量が所定量以上であるか否か、さらには空山数が所定数以上あるか否かを判定する（ステップＳ５）。そして、同一ロットに属する物品のロット蓄積量が所定量以上なるまで、決定した仮山へ物品を一時的に保管していく（ステップＳ８及びステップＳ９）。その後、同一ロットに属する物品のロット蓄積量が所定量以上になったとき、仮山に保管した同一ロットに属する物品を保管山へ集約する（ステップＳ６及びステップＳ７）。【選択図】　　　図１
2004091065.tif 000002
【特許請求の範囲】
【請求項１】
板状物品をロット毎にまとめて、置場に山として保管する板状物品の置場管理方法において、
前記置場への同一ロットに属する板状物品の搬入量の時間割合である搬入量速度を得て、
前記置場に搬入される同一ロットに属する板状物品の量が所定量以上か否かを判定し、且つ、前記搬入量速度が所定速度以上であるか否かを判定し、
前記判定の結果が、前記同一ロットに属する板状物品の量が所定量以上であり、且つ前記搬入量速度が所定速度以上であるとき、置場内の空山、又は置場からの搬出時刻が当該ロットよりも遅く、且つ前記置場への搬入完了済みである他のロットの板状物品を置場から搬出するまで保管する保管山を、前記同一ロットに属する板状物品を置場から搬出するまで保管する保管山として決定し、次々に置場に搬入されてくる前記同一ロットに属する板状物品を前記保管山に保管していき、
前記判定の結果が、前記同一ロットに属する板状物品の量が所定量未満のとき、又は前記搬入量速度が所定速度未満であるとき、他の山への移動が将来予定されている板状物品を仮に保管する山である仮山を決定し、次々に置場に搬入されてくる前記同一ロットに属する板状物品を前記仮山に保管していくとともに、置場に蓄積した前記同一ロットに属する板状物品が、当該同一ロットに属する板状物品を置場から搬出するまで保管するための保管山に集約可能になったとき、前記仮山で保管している同一ロットに属する板状物品を、前記同一ロットに属する板状物品を置場から搬出するまで保管する保管山に集約し、保管すること
を特徴とする板状物品の置場管理方法。
【請求項２】
置場に蓄積した前記同一ロットに属する板状物品が保管山に集約可能になったときとは、置場に蓄積した前記同一ロットに属する板状物品の蓄積量が一定量になったときであることを特徴とする請求項１記載の板状物品の置場管理方法。
【請求項３】
置場に蓄積した前記同一ロットに属する板状物品が保管山に集約可能になったときとは、所定数以上の空山が置場に存在するときであることを特徴とする請求項１記載の板状物品の置場管理方法。
【請求項４】
置場に蓄積した前記同一ロットに属する板状物品が保管山に集約可能になったときとは、置場に蓄積した前記同一ロットに属する板状物品の蓄積量が一定量になったとき、又は所定数以上の空山が置場に存在するときであることを特徴とする請求項１記載の板状物品の置場管理方法。
【請求項５】
前記同一ロットに属する板状物品の量が、複数の空山を使用して積載される板状物品相当量であるとき、
一つの山に積載される板状物品相当量毎の板状物品について、前記同一ロットに属する板状物品の搬入量速度を得て、
前記一つの山に積載される板状物品相当量毎に、前記同一ロットに属する板状物品の量が所定量以上か否かを判定し、且つ、前記搬入量速度が所定速度以上であるか否かを判定し、
前記判定の結果に基づいて、前記一つの山に積載される板状物品相当量毎の同一ロットに属する板状物品について、前記保管山への保管、又は前記仮山への保管並びに前記保管山への集約及び保管を行うことを特徴とする請求項１乃至４のいずれかに記載の板状物品の置場管理方法。
【請求項６】
前記置場内の空山の数が所定数以上あるか否かを判定し、
前記判定結果が前記置場内の空山の数が所定数以上あるとき、当該空山を前記仮山とし、
前記判定結果が前記置場内の空山の数が所定数未満であるとき、既に他のロットの板状物品が積まれた山であり、且つ仮山として利用可能な山を前記仮山とし、当該利用可能な山に既に積まれている板状物品上に前記同一ロットに属する板状物品を上積みし、保管することを特徴とする請求項１乃至５のいずれかに記載の板状物品の置場管理方法。
【請求項７】
前記仮山として利用可能な、既に他のロットの板状物品が積まれた山は、当該山に既に積まれている他のロットの板状物品の置場からの搬出時刻が、前記集約の時以降となる山であることを特徴とする請求項６記載の板状物品の置場管理方法。
【発明の詳細な説明】
【０００１】
【発明の属する技術分野】
本発明は、厚鋼板などの板状物品の置場管理方法に関する。
【０００２】
【従来の技術】
厚鋼板などの板状物品を、倉庫内あるいは工場内等で一時保管する場合、置場に山積みされることが多い。その場合、板状物品は、置場に余裕があればロット毎に単独の山として置くこともできるが、多くの場合、置場効率の観点から、複数のロットが積み上げられる。さらに、一般には、安全面等から、板状物品の積み上げ高さを制限して置場管理を行っている。
【０００３】
ところで、置場管理は、従来より担当者の経験と勘で手作業で行われていた。しかし、品種や出荷先の多様化に伴い、担当者の経験と勘による手作業では対応し難くなってきている。また、このような手作業で置場管理を行うと、出荷の際に取り出す物品のロットが他のロットの下積みとなることが多くなる。その結果、山から山へロットを積み替える作業、いわゆる配替（配置替え）作業が頻発し、作業効率を損なうことになる。そこで、いくつかの置場管理方法が提案されている。
【０００４】
例えば、特開平６−１７９５２５号公報には、山操りを少なくし、作業性を向上させることを目的とした切板製品の置場管理方法が提案されており、切板製品の契約番号、品種、寸法、梱包形式、輸送形態等を考慮した、山入れの際の混載優先順位を予め規定した山入れ優先順ファイルを用いる方法が提案されている。また、特開２０００−２２６１２３号公報には、板状物品の数量が所定数量以上であるロットの板状物品については既にある他のロットの山に積み上げることなく置場に直接積み上げ、それ以外のロットの板状物品はロット数が所定のロット数に満たない山の上に積み上げる方法が提案されている。
【０００５】
【発明が解決しようとする課題】
しかし、前記特開平６−１７９５２５号公報に記載の技術では、降ろし先の決定については、予め切板物品の山入れの際の優先順位を山入れ優先順ファイルに決めておく必要がある。新山の指示がない場合、或いは新山の指示の優先順位が低い場合は、既存の他のロットの山に積み重ねていくことになる。その結果、同一山に小ロットの板状物品が多数積み上げられてしまう場合がある。
【０００６】
一般に、小ロットの板状物品が多数同一山に積み上げられた場合、すなわち、同一山に多数のロットが混載された場合、先に出荷するロットの上に、後に出荷するロットが積まれる場合が多くなる。このような場合、下にあるロットを出荷するためには、上に積まれたロットを再度他の山に積む作業（前記配替作業）が必要となる。このように山から山へロットを積み替える配替作業を出荷作業時に同時に行うと、出荷作業の効率を大幅に低下させてしまい、その結果、例えば、船やトラックなどの滞留時間ロスを発生させるという問題を招来する。
【０００７】
また、特開２０００−２２６１２３号公報に記載の技術では、同一山に積み上げるロット数を制限していることから、多くの置場が必要となる。しかし、置場が不足すれば、既存の山の上に積まざるを得ないため、前記と同様の問題が発生する。
ところで、一般に、同一ロットに属する物品ではあっても、中間処理可能な量や所要時間等により処理タイミングが分割されるため、図６に示すように、それら分割された同一ロットに属する物品が置場に到着する、或いは搬入される時刻は分布を示すようになり、その結果、同一ロットに属する物品のうち最初に搬入する物品の時刻（初材到着時刻）と、同一ロットに属する物品のうち最後に搬入する物品の時刻（最終材到着時刻、すなわち同一ロットに属する物品が置場に揃う時間）とに開きが生じる。
【０００８】
さらに、中間処理の内容等によって、同一ロットに属する物品の最終材の到達時間にばらつきがあり、図６に示すように、Ｃａｓｅ１のロットに属する物品では、最終材の到達時間が短時間となり、Ｃａｓｅ２のロットに属するの物品では、最終材の到達時間が長時間となる。
よって、大ロット（例えば、一つの空山を使いきる数量である所定数量以上の物品からなるロット）用の保管用に山を指定しおいて、積み上げていくことを予定しても、前述のＣａｓｅ２のロットのように、置場に物品が揃うまで時間を要する場合には、積み上げ途中の前記大ロットの物品の上に他のロットの物品を上積せざるを得なくなる。このように、あるロットのために指定している山に他のロットの物品を積み上げ、山を複数のロットの物品で混載状態にしてしまうと、配替作業が必要になること等により、計画通りの置場管理ができなくなる。
【０００９】
そこで、本発明は、前述の問題に鑑みてなされたものであり、出荷の際の配替作業を低減して、置場の保管能力を高めることが可能な板状物品の置場管理方法の提供を目的とする。
【００１０】
【課題を解決するための手段】
前述の問題を解決するために、請求項１記載の発明に係る板状物品の置場管理方法は、板状物品をロット毎にまとめて、置場に山として保管する板状物品の置場管理方法において、前記置場への同一ロットに属する板状物品の搬入量の時間割合である搬入量速度を得て、前記置場に搬入される同一ロットに属する板状物品の量が所定量以上か否かを判定し、且つ、前記搬入量速度が所定速度以上であるか否かを判定し、前記判定の結果が、前記同一ロットに属する板状物品の量が所定量以上であり、且つ前記搬入量速度が所定速度以上であるとき、置場内の空山、又は置場からの搬出時刻が当該ロットよりも遅く、且つ前記置場への搬入完了済みである他のロットの板状物品を置場から搬出するまで保管する保管山を、前記同一ロットに属する板状物品を置場から搬出するまで保管する保管山として決定し、次々に置場に搬入されてくる前記同一ロットに属する板状物品を前記保管山に保管していき、前記判定の結果が、前記同一ロットに属する板状物品の量が所定量未満のとき、又は前記搬入量速度が所定速度未満であるとき、他の山への移動が将来予定されている板状物品を仮に保管する山である仮山を決定し、次々に置場に搬入されてくる前記同一ロットに属する板状物品を前記仮山に保管していくとともに、置場に蓄積した前記同一ロットに属する板状物品が、当該同一ロットに属する板状物品を置場から搬出するまで保管するための保管山に集約可能になったとき、前記仮山で保管している同一ロットに属する板状物品を、前記同一ロットに属する板状物品を置場から搬出するまで保管する保管山に集約し、保管することを特徴としている。
【００１１】
また、請求項２記載の発明に係る板状物品の置場管理方法は、請求項１記載の発明に係る板状物品の置場管理方法において、置場に蓄積した前記同一ロットに属する板状物品が保管山に集約可能になったときとは、置場に蓄積した前記同一ロットに属する板状物品の蓄積量が一定量になったときであることを特徴としている。
【００１２】
また、請求項３記載の発明に係る板状物品の置場管理方法は、請求項１記載の発明に係る板状物品の置場管理方法において、置場に蓄積した前記同一ロットに属する板状物品が保管山に集約可能になったときとは、所定数以上の空山が置場に存在するときであることを特徴としている。
また、請求項４記載の発明に係る板状物品の置場管理方法は、請求項１記載の発明に係る板状物品の置場管理方法において、置場に蓄積した前記同一ロットに属する板状物品が保管山に集約可能になったときとは、置場に蓄積した前記同一ロットに属する板状物品の蓄積量が一定量になったとき、又は所定数以上の空山が置場に存在するときであることを特徴としている。
【００１３】
また、請求項５記載の発明に係る板状物品の置場管理方法は、請求項１乃至４のいずれかに記載の発明に係る板状物品の置場管理方法において、前記同一ロットに属する板状物品の量が、複数の空山を使用して積載される板状物品相当量であるとき、一つの山に積載される板状物品相当量毎の板状物品について、前記同一ロットに属する板状物品の搬入量速度を得て、前記一つの山に積載される板状物品相当量毎に、前記同一ロットに属する板状物品の量が所定量以上か否かを判定し、且つ、前記搬入量速度が所定速度以上であるか否かを判定し、前記判定の結果に基づいて、前記一つの山に積載される板状物品相当量毎の同一ロットに属する板状物品について、前記保管山への保管、又は前記仮山への保管並びに前記保管山への集約及び保管を行うことを特徴としている。
【００１４】
また、請求項６記載の発明に係る板状物品の置場管理方法は、請求項１乃至５のいずれかに記載の発明に係る板状物品の置場管理方法において、前記置場内の空山の数が所定数以上あるか否かを判定し、前記判定結果が前記置場内の空山の数が所定数以上あるとき、当該空山を前記仮山とし、前記判定結果が前記置場内の空山の数が所定数未満であるとき、既に他のロットの板状物品が積まれた山であり、且つ仮山として利用可能な山を前記仮山とし、当該利用可能な山に既に積まれている板状物品上に前記同一ロットに属する板状物品を上積みし、保管することを特徴としている。
【００１５】
また、請求項７記載の発明に係る板状物品の置場管理方法は、請求項６記載の発明に係る板状物品の置場管理方法において、前記仮山として利用可能な、既に他のロットの板状物品が積まれた山は、当該山に既に積まれている他のロットの板状物品の置場からの搬出時刻が、前記集約の時以降となる山であることを特徴としている。
【００１６】
このように、本発明では、同一ロットに属する板状物品の量が所定量以上であり、且つ置場への同一ロットに属する板状物品の搬入量の時間割合である搬入量速度が所定速度以上であるとき、同一ロットに属する板状物品を保管山に保管するようにし、その一方で、同一ロットに属する板状物品の量が所定量未満のとき、又は前記搬入量速度が所定速度未満であるとき、同一ロットに属する板状物品を一時的に仮山に保管し、その後、置場に蓄積した同一ロットに属する板状物品が保管山に集約可能になったときに、仮山で保管している同一ロットに属する板状物品を保管山に集約し、保管するようにしている。
【００１７】
【発明の実施の形態】
以下、本発明の実施の形態を図面を参照しながら詳細に説明する。
図１は、本発明を適用した板状物品の置場管理方法の処理手順を示す。この処理手順は、例えば、パーソナルコンピュータを用い、その演算処理で実現することができる。
【００１８】
先ず、ステップＳ１において、同一ロットに属する物品の置場到着時刻を予測する。すなわち、一般に、同一ロットに属する物品であっても、中間処理可能な量や所要時間等により処理タイミングが分割されるため、図６に示すように、それら分割された同一ロットに属する物品が置場に到着する時刻は分布を示すようになり、その結果、同一ロットに属する物品のうち最初に搬入する物品の時刻（初材到着時刻）と、同一ロットに属する物品のうち最後に搬入する物品の時刻（最終材到着時刻、すなわち同一ロットに属する物品が置場で揃うまでに要する時間）とに開きが生じる。
【００１９】
このようなことから、同一ロットに属する物品についての中間処理可能な量や所要時間による処理タイミング等の情報から同一ロットに属する物品それぞれの置場到着時刻を得る、或いは予測する。
さらに、ステップＳ２では、同一ロットに属する物品の総量（以下、ロット内物品量という。）が所定量以上（ロット内物品量≧所定量）であるか否かを判定するとともに、ロット内物品量が所定量以上である場合にはさらに、同一ロットに属する物品の置場蓄積量或いは置場搬入量が所定量となるまでに要する時間（以下、所定量蓄積時間という。）が所定時間以下（所定量蓄積時間≦所定時間）であるか否かを判定する。
【００２０】
ここで、所定量とは、安全面の要請等から、積み上げ高さを制限するために、一つの山に積み上げることができる量である。また、所定量蓄積時間とは、置場到着時刻に基づいて、同一ロットに属する物品のうち最初に物品が搬入した時から、その搬入量或いは到着量がそのような所定量に達した時までの時間である。例えば、図６に示すように、同一ロットに属する物品のロット内物品量が所定量よりも多い場合、同一ロットに属する物品のうち最後に搬入する物品の時刻前に、所定量に達するようになり、この場合の所定量蓄積時間は、同一ロットに属する物品のうち最初に搬入する物品の時刻（初材到着時刻）と、同一ロットに属する物品のうち最後に搬入する物品の時刻（最終材到着時刻、すなわち同一ロットに属する物品が置場に揃う時刻）と間の時間よりも短くなる。
【００２１】
このステップＳ２において、ロット内物品量が所定量以上である場合、且つ所定量蓄積時間が所定時間以下となる場合、ステップＳ３に進み、ロット内物品量が所定量以上でない場合、又は所定量蓄積時間が所定時間以下でない場合、ステップＳ５に進む。
ステップＳ３では、空山を当該ロットの保管山として決定し、続く、ステップＳ４において、前記ステップＳ３で決定した保管山へ、次々と搬入されてくる前記同一ロットに属するロットの物品を保管する。
【００２２】
ここで、保管山とは、同一ロットに属する板状物品用として、当該同一ロットに属する板状物品を置場から搬出或いは出荷するまで保管するための山である。また、保管山は、空山に限ることなく、他のロットの物品が既に積まれている山であってもよい。この場合、他のロットの物品が既に積まれている山は、置場からの搬出時刻が、当該山に積もうとしている前記同一ロットのものよりも遅く、且つ置場に搬入完了済みである他のロットの物品を置場から搬出するまで保管している保管山である。
【００２３】
ステップＳ５では、同一ロットに属する物品の置場における蓄積量（以下、ロット蓄積量という。）が所定量以上であるか否か、さらには、空山数が所定数以上であるか否かを判定する。
ここで、ロット蓄積量は、一時的に仮山を使用して保管されている同一ロットに属する物品の置場における総量であり、前記ロット内物品量との関係では、下記表１に示すようになる。
【００２４】
【表１】
2004091065.tif 000003
【００２５】
この表１に示すように、ロット内物品量は、同一ロットに属する物品の総量である一定値であり、ロット蓄積量は同一ロットに属する物品の搬入により経時的に増加する値となる。
このステップＳ５で、同一ロットに属する物品のロット蓄積量が所定量以上であり、又は空山数が所定数以上ある場合、ステップＳ６に進み、同一ロットに属する物品のロット蓄積量が所定量以上でなく、且つ空山数が所定数以上でない場合、ステップＳ８に進む。なお、ここでの所定量は、前述のステップＳ２の所定量であり、すなわち例えば一つの山に積み上げることができる量である。
【００２６】
ステップＳ８では、仮山を決定する。ここで、仮山は、他の山への移動が将来予定されている物品を仮に保管する山であり、次々に置場に搬入されてくる前記同一ロットに属する物品が一時的に保管される山である。この仮山は空山であったり、既に他のロットの物品が積まれているが、上積み予定のない山であったりする。なお、このように仮山には種類があり、仮山の決定については後で詳述する。
【００２７】
仮山を決定した後、ステップＳ９において、その決定した仮山に当該ロットの物品を一時的に保管する。このステップＳ８及びステップＳ９により、同一ロットに属する物品が、一の仮山で保管され、或いは複数の仮山に分散されて保管される。
一方、同一ロットに属する物品のロット蓄積量が所定量以上であり、又は空山数が所定数以上ある場合に進むステップＳ６では、保管山を決定する。
【００２８】
ここで、保管山とは、前述のステップＳ３の保管山と同様に、空山であり、同一ロットに属する板状物品用として、当該同一ロットに属する板状物品を置場から搬出或いは出荷するまで保管するための山である。
そして、ステップＳ７において、前述の仮山に保管した同一ロットに属する物品をこの保管山へ集約する。すなわち、前記ステップＳ９で、一の仮山に一時的に保管され、或いは複数の仮山に分散されて保管された、同一物品に属する物品を、保管山に集約する。
【００２９】
ここで、前述したように所定量とは、一つの山に積み上げることができる量である。よって、仮山で保管されている同一ロットに属する物品の量が、一つの山に積み上げることができる量になったことを条件に、仮山で保管している同一ロットに属する物品を保管山に集約しているのである。
ここで、一つの山に積み上げることができる量になったことを条件で行う保管山への集約は、複数の仮山で同一ロットに属する物品が分散して保管している場合になされる。なお、空山数が所定数以上あることを条件で行う保管山への集約には、複数の仮山で同一ロットに属する物品が分散して保管している場合における集約の他に、一の仮山で保管している場合における集約も含まれる。
【００３０】
以上が図１の置場管理方法の処理手順の説明である。
次にステップＳ８における仮山の決定のための処理について説明する。図２は、その処理手順を示す。
先ず、ステップＳ１１において、置場内の空山数を計測する。例えば、同一ロットに属する物品のうち最初の物品が搬入されたタイミングで計測を行う。あるいは、ロットに属する物品について新たな保管場所が必要になった時に計測を行う。
【００３１】
そして、ステップＳ１２において、空山数が所定数を上回る場合（空山数≧所定数）否かを判定する。
例えば、出荷するロットが、他のロットの下積みとなることがある。この場合、他のロットの下積みのロットを取り出すには、他のロットを他の山へ積み替える作業、いわゆる配替（配置替え）作業が必要になる。そして、この配替（配置替え）作業には、通常、配置換え用山として空山が必要になる。このようなことから、前記所定数とは、置場内において配置換え用山として利用できる空山を含む空山の数である。
【００３２】
このステップＳ１２で、空山数が所定数以上である場合、ステップＳ１３に進み、空山数が所定数未満である場合、ステップＳ１４に進む。
ステップＳ１３では、空山の中から物品を保管する仮山を決定する。
また、ステップＳ１４では、既に他のロットの物品が積まれているが上積み予定のない山から、前記他のロットの物品の出荷時刻が、同一ロットに属する物品が所定量蓄積される時刻（以下、ロット所定量蓄積時刻という。）よりも後となる山を検索する。
【００３３】
ここで、既に他のロットの物品が積まれているが上積み予定のない山とは、当該山に積まれているロットが置場への搬入を既に完了し、出荷待ち状態になっている山である。
また、ロット所定量蓄積時刻とは次のようになる。
前述したように、仮山で保管されている同一ロットに属する物品の量が、一つの山に積み上げることができる量である所定量になったことを条件に、仮山で保管している同一ロットに属する物品を保管山に集約し、保管している。このようなことから、ロット所定量蓄積時刻とは、仮山で保管されている同一ロットに属する物品の量が一つの山に積み上げることができる量である所定量になった時であり、すなわち、仮山で保管している同一ロットに属する物品を保管山に集約する時である。
【００３４】
このように、ステップＳ１４において、仮山となる山の候補を検索し、ステップＳ１５において、検索により該当する山を仮山に決定する。
以上のように仮山を決定する。そして、前記ステップＳ９では、このように決定した仮山を使用して物品を一時的に保管する。
なお、以上の処理において、前記ステップＳ１及びステップＳ２の処理は、置場への同一ロットに属する板状物品の搬入量の時間割合である搬入量速度を得て、前記置場に搬入される同一ロットに属する板状物品の総量が所定量以上か否かを判定し、且つ、前記搬入量速度が所定速度以上であるか否かを判定する、といった処理を実現している。
【００３５】
ここで、前記ステップＳ２の処理では、実際には、同一ロットに属する物品の置場蓄積量が所定量となるまでに要する時間としての所定量蓄積時間が、所定時間以下であるか否かを判定しているのであるが、このような判断により結果として、所定量となるまでの搬入量速度或いは蓄積量速度をみている。すなわち例えば、搬入量速度が大きい場合には、所定量となるまでに要する時間としての所定量蓄積時間は短くなり、搬入量速度が小さい場合には、所定量となるまでに要する時間としての所定量蓄積時間は長くなり、このように搬入量速度に応じて所定量蓄積時間と所定時間とを比較することで、間接的に搬入量速度を判定しているのである。
【００３６】
また、前記ステップＳ３及びステップＳ４の処理は、前記判定の結果が、前記総量が所定量以上であり、且つ搬入量速度が所定速度以上であるとき、置場内の空山、又は置場からの搬出時刻が当該ロットよりも遅く、且つ前記置場への搬入完了済みである他のロットの板状物品を置場から搬出するまで保管する保管山を、前記同一ロットに属する板状物品を置場から搬出するまで保管する保管山として決定し、次々に置場に搬入されてくる前記同一ロットに属する板状物品を前記保管山に保管する、といった処理を実現している。
【００３７】
また、前記ステップＳ５、ステップＳ８及びステップＳ９の処理は、前記判定の結果が、前記総量が所定量未満のとき、又は搬入量速度が所定速度未満であるとき、他の山への移動が将来予定されている板状物品を仮に保管する山である仮山を決定し、次々に置場に搬入されてくる同一ロットに属する板状物品を前記仮山に保管していく、といった処理を実現している。
【００３８】
また、前記ステップＳ５の処理は、置場に蓄積した同一ロットに属する板状物品が保管山に集約可能か否かを判定する、といった処理を実現している。具体的には、置場に蓄積した同一ロットに属する板状物品が保管山に集約可能か否かの判定では、置場に蓄積した同一ロットに属する板状物品の蓄積量が一定量になるか否か、又は同一ロットに属する板状物品が集約可能な保管山が置場に存在するか否かを判定している。
【００３９】
そして、前記ステップＳ６及びステップＳ７の処理は、そのステップＳ５の判定にて、置場に蓄積した同一ロットに属する板状物品が保管山に集約可能になったとき、仮山で保管している同一ロットに属する板状物品を、同一ロットに属する板状物品を置場から搬出するまで保管する保管山に集約し、保管すること、といった処理を実現している。
【００４０】
また、前記ステップＳ１２は、置場内の空山の数が所定数以上あるか否かを判定する、といった処理を実現している。そして、前記ステップＳ１３の処理は、その判定結果が置場内の空山の数が所定数以上あるとき、当該空山を仮山とする、といった処理を実現している。そしてまた、前記ステップＳ１４及びステップＳ１５の処理は、その判定結果が置場内の空山の数が所定数未満であるとき、既に他のロットの板状物品が積まれた山であり、且つ仮山として利用可能な山を仮山とし、当該利用可能な山に既に積まれてる板状物品上に同一ロットに属する板状物品を上積みし、保管する、といった処理を実現している。
【００４１】
次に以上の図１及び図２に示した処理によリ実現できるロットの置場管理について例を説明する。
（第１例）　同一ロットに属する物品のロット内物品量が前記所定量と同一或いはそれ以上あり、且つその同一ロットに属する物品の所定量蓄積時間が前記所定時間以下である場合、次のようになる。
【００４２】
予測した同一ロットに属する物品の置場到着時刻から（前記ステップＳ１）、同一ロットに属する物品のロット内物品量が所定量以上であり、同一ロットに属する物品の所定量蓄積時間が所定時間以下であると判定し（前記ステップＳ２）、空山を当該ロットの保管山として決定し（前記ステップＳ３）、その決定した保管山へ、次々と搬入されてくる同一ロットに属するロットの物品を保管する（前記ステップＳ４）。
【００４３】
（第２例）　同一ロットに属する物品のロット内物品量が前記所定量と同一或いはそれ以上あるが、その同一ロットに属する物品の所定量蓄積時間が前記所定時間よりも長い場合、次のようになる。
予測した同一ロットに属する物品の置場到着時刻から（前記ステップＳ１）、同一ロットに属する物品のロット内物品量が所定量以上であるが、同一ロットに属する物品の所定量蓄積時間が所定時間よりも長いと判定し（前記ステップＳ２）、同一ロットに属する物品のロット蓄積量が所定量以上であるか否か、さらには、空山数が所定数以上あるか否かを判定する（前記ステップＳ５）。
【００４４】
そして、同一ロットに属する物品のロット蓄積量が所定量以上になるまで、決定した仮山へ当該ロットの物品を一時的に保管していく（前記ステップＳ８及びステップＳ９）。ここで、仮山は前記図２に示した処理により決定する。
その後、同一ロットに属する物品のロット蓄積量が所定量以上になったとき、仮山に保管した同一ロットに属する物品を保管山へ集約し、保管する（前記ステップＳ６及びステップＳ７）。
【００４５】
なお、同一ロットに属する物品のロット蓄積量が所定量以上にならなくても、空山数が所定数以上である場合、仮山で一時的に保管することなく、保管山を決定して、その保管山に同一ロットに属する物品を集約し、保管する（前記ステップＳ６及びステップＳ７）。
次に、同一ロットに属する物品を複数の山で保管する場合について説明する。
【００４６】
前述の置場管理の処理では、同一ロットに属する物品を一の山で保管する場合を前提にしているが、同一ロットに属する物品を複数の山で保管する場合にも、この置場管理方法を適用することができる。
すなわち、同一ロットに属する物品を複数の山で保管する（複数の山に跨いで保管する）必要があるときがある。例えば、同一ロットに属する物品の総量（すなわち、ロット内物品量）が多く、空山を利用するとしても、複数の山で保管する必要がある場合である。すなわち、図６に示すように、同一ロットに属する物品の数量が所定量よりも多く、複数の山を使用しなければ同一ロットに属する物品を保管できないような場合である。
【００４７】
一方、例えば、同一ロットに属する物品であっても、置場への搬入能率に、その搬入時期によりばらつきが発生する。例えば、物品の中間処理能力等の影響により、搬入の初期や終期ではその能率が悪く、すなわち物品の揃いが悪く、搬入の中期ではその能率が良く、すなわち物品の揃いが良い、といったようにである。具体的には、同一ロットに属する物品の量が３つの空山の積載される物品相当量であり、第１乃至第３の山を使用して順に保管していくことを考えたとき、搬入の初期や終期では物品の揃いが悪いので、第１の山や第３の山で所定量に到達する時間（所定量蓄積時間）は長くなり、搬入の中期では物品の揃いが良いので、第２の山の所定量に到達する時間は短時間となる、といったようにである。
【００４８】
このように同一ロットに属する物品の量が複数山分の物品相当量になる場合には、図１に示す処理手順は次のようになる。
ここでは、同一ロットに属する物品の量が前述したような３つの空山に積載される物品相当量である場合と仮定し、すなわち、同一ロットに属する物品のうちの初期搬入分を第１の山に積載すると仮定し、同一ロットに属する物品のうちの中期搬入分を第２の山に積載すると仮定し、同一ロットに属する物品のうちの終期搬入分を第３の山に積載すると仮定する。
【００４９】
以下、同一ロットに属する物品のうちの第１の山への積載分の物品を第１山積載相当物品といい、同一ロットに属する物品のうちの第２の山への積載分の物品を第２山積載相当物品といい、同一ロットに属する物品のうち第３の山への積載分の物品を第３山積載相当物品という。
また、第１山積載相当物品の揃いが悪く、第１山積載相当物品の前記所定量蓄積時間が前記所定時間よりも長くなると仮定する。さらに、第２山積載相当物品の揃いが良く、第２山積載相当物品の前記所定量蓄積時間が前記所定時間よりも短くなると仮定する。そして、再び第３山積載相当物品では、その揃いが悪くなり、第３山積載相当物品の前記所定量蓄積時間が前記所定時間よりも長くなると仮定する。
【００５０】
先ず、前記ステップＳ１における同一ロットに属する物品の置場到着時刻の予測を、第１山積載相当物品について行う。
そして、前記ステップＳ２では、同一ロットに属する物品のロット内物品量が所定量以上（ロット内物品量≧所定量）であるか否かを判定するとともに、ロット内物品量が所定量以上である場合にはさらに、同一ロットに属する物品の所定量蓄積時間が所定時間以下（所定量蓄積時間≦所定時間）であるか否かを判定する。
【００５１】
ここでは、第１山積載相当物品の場合、前記所定量蓄積時間が所定時間よりも長くなるので、前記ステップＳ５以降の処理を行うことになる。なお、第１山積載相当物品の数量は前記所定量以上であるので、同一ロットに属する物品のロット内物品量が所定量以上（ロット内物品量≧所定量）であるか否かの判定では、同一ロットに属する物品のロット内物品量が所定量以上となる判定結果となる。
【００５２】
前記ステップＳ５以降の処理では、第１山積載相当物品のロット蓄積量が所定量以上でなく、且つ空山数が所定数以上でない場合に（前記ステップＳ５）、仮山を決定し、決定した仮山に第１山積載相当物品を一時的に保管する（前記ステップＳ８及びステップＳ９）。そして、置場にて仮山で保管している第１山積載相当物品の蓄積量（ロット蓄積量）が所定量以上になったとき、第１の山となる保管山を決定し（前記ステップＳ６）、仮山に保管している第１山積載相当物品をその保管山へ集約する（ステップＳ７）。
【００５３】
続いて、第２山積載相当物品について処理を行う。
すなわち、先ず、前記ステップＳ１における同一ロットに属する物品の置場到着時刻の予測を、第２山積載相当物品について行う。
そして、前記ステップＳ２では、同一ロットに属する物品のロット内物品量が所定量以上（ロット内物品量≧所定量）であるか否かを判定するとともに、ロット内物品量が所定量以上である場合にはさらに、同一ロットに属する物品の所定量蓄積時間が所定時間以下（所定量蓄積時間≦所定時間）であるか否かを判定する。
【００５４】
ここでは、第２山積載相当物品の場合、前記所定量蓄積時間が所定時間よりも短くなるので、前記ステップＳ３以降の処理を行うことになる。なお、第２山積載相当物品の数量は前記所定量以上であるので、同一ロットに属する物品のロット内物品量が所定量以上（ロット内物品量≧所定量）であるか否かの判定では、同一ロットに属する物品のロット内物品量が所定量以上となる判定結果となる。
【００５５】
前記ステップＳ３以降の処理では、第２山積載相当物品を保管する第２の山となる保管山（空山）として決定し（前記ステップＳ３）、次々と搬入されてくる第２山積載相当物品を保管山で保管する（前記ステップＳ４）。
最後に、第３山積載相当物品について処理を行う。
先ず、前記ステップＳ１における同一ロットに属する物品の置場到着時刻の予測を、第３山積載相当物品について行う。
【００５６】
そして、前記ステップＳ２では、同一ロットに属する物品のロット内物品量が所定量以上（ロット内物品量≧所定量）であるか否かを判定するとともに、ロット内物品量が所定量以上である場合にはさらに、同一ロットに属する物品の所定量蓄積時間が所定時間以下（所定量蓄積時間≦所定時間）であるか否かを判定する。
【００５７】
第３山積載相当物品の場合、再び前記所定量蓄積時間が所定時間よりも長くなるので、前記ステップＳ５以降の処理を行うことになる。なお、第３山積載相当物品の数量は前記所定量以上にならない場合もあり、この場合は、第３山積載相当物品についての前記所定量蓄積時間が所定時間以下となるか否かの判断をすることなく、前記前記ステップＳ５以降の処理を行うことになる。
【００５８】
前記ステップＳ５以降の処理では、第３山積載相当物品のロット蓄積量が所定量以上でなく、且つ空山数が所定数以上でない場合に（前記ステップＳ５）、仮山を決定し、決定した仮山に第１山積載相当物品を一時的に保管する（前記ステップＳ８及びステップＳ９）。そして、置場にて仮山で保管している第１山積載相当物品の蓄積量（ロット蓄積量）が所定量以上になったとき、第１の山となる保管山を決定し（前記ステップＳ６）、仮山に保管している第１山積載相当物品をその保管山へ集約する（前記ステップＳ７）。
【００５９】
以上のように、同一ロットに属する物品を複数の山で保管しなければならないような場合、同一ロットに属する物品について各山単位に置場管理方法を適用することができる。
なお、ここでは、同一ロットに属する物品の数量が３つの山への積載相当量である場合と仮定し、すなわち、同一ロットに属する物品のうちの初期搬入分を第１の山で保管し、同一ロットに属する物品のうちの中期搬入分を第２の山で保管し、同一ロットに属する物品のうちの終期搬入分を第３の山で保管する場合について説明した。しかし、同一ロットに属する物品の量が４つ以上の山に相当する量であってもよい。この場合、同一ロットに属する物品を第１〜第Ｎ（Ｎ＝４，５，６，・・・）で順次保管すると仮定し、第１乃至第Ｎの山それぞれで保管する物品について、前記図１に示す処理を繰り返して行う。
【００６０】
次に効果を説明する。
以上のように、置場に同一ロットに属するの物品が揃うのに長時間を要するようなときには、同一ロットが属する物品の一時的に仮山に保管し、その後、保管山に集約することで、当該同一ロットに属する物品用として不要に山を占有する時間を短くすることができる。これにより、同一ロットに属する物品用として常に空山を使用してしまうこともないので、空山数の減少を最小限に抑えることもでき、置場の保管能力を高めることができる。
【００６１】
特に、既に物品が積まれた山を仮山にして、既に物品が積まれた山を他のロットに属する物品の一時的な保管場所として使用しているので、同一ロットが属する物品用として山を不要に占有する時間を特に短くすることができ、また、空山数の減少を最小限に抑えることができる。
また、前述したように、既に物品が積まれた山であって、仮山として使用する山は、上積み予定のない山であり、当該山に既に積まれている物品の出荷時刻が、上積みするロットの所定量蓄積時刻、すなわち仮山から保管山への集約時刻よりも後となる山である。これにより、同一ロットに属する物品を保管山へ移動する時刻（集約する時）の方が、下積みされている他のロットの物品の出荷時刻よりも早くなるので、複数のロットで山が混載状態になっても、出荷の際の配替作業が発生することもない。これにより、置場の保管能力を高めることができる。
【００６２】
また、同一ロットに属する物品を複数の山で保管する必要がある場合、同一ロットに属する物品について各山単位で、保管山への保管（前記ステップＳ３及びステップＳ４）、又は仮山への保管（前記ステップＳ８及びステップＳ９）並びに保管山への集約及び保管（前記ステップＳ６及びステップＳ７）を行うことができる。これにより、同一ロットに属する物品の数量が多く、複数の山で保管する必要があり、このときの、物品の置場への搬入能率がその搬入の時期によりばらつきがあるような場合でも、各搬入時期で（例えば物品の揃いが悪い初期及び終期と物品の揃いが良い中期とで）、適宜、同一ロットが属する物品用として空山を使用したり、仮山を使用したりして、置場への保管をすることで、同一ロットが属する物品用として不要に山を占有する時間を短くすることができる。
【００６３】
ここで、従来の手法によるロットの置場管理と、本発明により実現されるロットの置場管理とを比較する。図３及び図４を用いて従来の手法によるロットの置場管理を説明した後、図５を用いて本発明により実現されるロットの置場管理を説明する。
ここで、図３乃至図５では、置場に既に積載されている物品或いは搬入される物品をロット単位とし、さらにロット毎にロット番号を付して示しており、そのロット番号はロットの出庫順序を示す。
【００６４】
また、図３中（Ａ）及び図５（Ａ）に示すように、置場の時刻１の状態（初期状態）を示し、山Ａと山Ｂとに分けてロット番号「５」のロットが保管され、山Ｃが空山とされ、山Ｄにロット番号「２」のロットが保管され、山Ｅにロット番号「４」のロットが保管され、山Ｆにロット番号「３」のロットが保管されている。そして、ロット番号「２」、「３」のロットの物品は、それぞれの山で制限高さ（所定量）まで積み上げられている。
【００６５】
先ず、図３及び図４を用いて従来の手法によるロットの置場管理を説明する。ここで、ロット番号「６」のロットに属する物品を搬入する場合で、そのロット番号「６」のロットに属する物品の量が多く、所定量が揃うまでに時間を要する場合を説明する。
従来では、ロット番号「６」のロットに属する物品の量が多いとき、図３中（Ｂ）に示すように（時刻２）、空山である山Ｃをロット番号「６」のロットに属する物品の保管山に指定し、この山Ｃにロット番号「６」のロットに属する物品を保管していた。これによりこのロット番号「６」のロットに属する物品の保管により空山がなくなる。
【００６６】
次に、ロット番号「１」のロットの物品を出荷する場合、ロット番号「１」のロットのの物品の上に、その後に出荷するロット番号「４」のロットの物品を上積みしていることから、その出荷に際して、図３中（Ｃ）に示すように（時刻３）、ロット番号「４」のロットの物品を、例えば、山Ａ及び山Ｂで制限高さに至っていないロット番号「５」のロットの物品の上に配替していた。この配替後にロット番号「１」のロットの物品を出荷し、これにより、図３中（Ｄ）に示すように（時刻４）、山Ｅは空山となる。
【００６７】
そして、次に、ロット番号「７」のロットに属する物品を搬入していた。ここで、ロット番号「６」のロットに属する物品が揃うまでに時間を要することから、ロット番号「６」のロットに属する物品の搬入が完了する前にロット番号「７」のロットの物品が搬入される。このようなことから、図４に示すように、ロット番号「６」のロットの物品の上にその次ロットであるロット番号「７」のロットの物品が上積みされ、ロット番号「６」のロットの物品とロット番号「７」のロットの物品とが混載してしまうこともあるが、このような事態を防止しようとすれば、ロット番号「１」の出荷により空山となった山Ｅにロット番号「７」のロットの物品を保管するしかない。これにより、全ての山Ａ〜Ｆは空山でなくなる。
【００６８】
よって、ロット番号「２」のロットの物品が出荷される前に、その次のロットとしてロット番号「８」のロットの物品を搬入した場合、そのロット番号「８」のロットの物品を先に出荷するロットの物品の上に上積みしなければならなくなり、混載状態となることは必至である。そして、この場合、出荷時に配替作業が必要となる。
【００６９】
次に、本発明により実現できるロットの置場管理を説明する。
図５に示すように、ロット番号「６」のロットに属する物品の量が多いとき、図３中（Ｂ）に示すように（時刻２）、既にロット番号「５」のロットの物品が積まれている山Ａをロット番号「６」のロットに属する物品を保管する仮山と指定し、この山Ａにロット番号「６」のロットに属する物品を一時的に保管する。このように、ロット番号「６」のロットに属する物品を置場において保管するとともに、空山を確保することができる。
【００７０】
この処理は前記図１を用いると次のようになる。
所定量蓄積時間が所定時間以下でなく（前記ステップＳ２）、ロット番号「６」のロットに属する物品のロット蓄積量が所定量以上でなく、且つ空山数が所定数以上でないので（前記ステップＳ５）、ロット番号「６」のロットに属する物品の仮山を決定する。
【００７１】
ここで、既にロット番号「５」のロットの物品が保管されている山Ａを仮山に決定している。すなわち、置場の空山数を計測し（前記ステップＳ１１）、その空山数が所定数未満であるので（前記ステップＳ１２）、既に物品が積まれ、且つ上積み予定のない山のうちから、当該山の物品の出荷時刻がロット番号「６」のロットに属する物品の所定量蓄積時刻よりも後となる山であるロット番号「５」のロットの物品が積まれている山Ａを選定し、この山Ａを仮山に決定している。そして、この山Ａを仮山として当該ロット番号「６」のロットに属する物品を一時的に保管する。
【００７２】
図５による説明に戻り、次に、ロット番号「１」のロットの物品を出荷する場合、ロット番号「１」のロットの物品の上にその後に出荷するロット番号「４」のロットの物品が上積みされていることから、図５中（Ｃ）に示すように（時刻３）、ロット番号「４」のロットの物品を空山Ｃは配替する。この配替後に、ロット番号「１」のロットの物品を出荷し、これにより、図３中（Ｄ）に示すように（時刻４）、山Ｅは空山となる。
【００７３】
このように、この山Ａを仮山として当該ロット番号「６」のロットに属する物品を一時的に保管することで、同一ロットに属する物品用として常に空山を使用してしまうこともないので、空山数の減少を最小限に抑えることができる。空山数の減少を最小限に抑えることで、この例では、ロット番号「１」のロットの物品を出荷する際、その上に積まれているロット番号「４」のロットの物品の配替用として空山Ｃは使用することができるようになる。
【００７４】
また、山Ａでは、ロット番号「５」のロットの物品とロット番号「６」のロットの物品とが混載された状態になっているが、山Ａは、ロット番号「５」のロットの物品をさらに上積みする予定のない山であり、「５」のロットの物品の出荷時刻がロット番号「６」のロットの物品の所定量蓄積時刻、すなわち仮山から保管山への集約時刻よりも後となる山である。これにより、複数のロットで山が混載状態になっても、出荷の際の配替作業が発生することもなく、置場の保管能力を高めることができる。
【００７５】
図５による説明に戻り、次に搬入するロット番号「７」のロットに属する物品を、既にロット番号「４」のロットの物品が積まれている山Ｃを仮山と指定し、この山Ｃにロット番号「７」のロットに属する物品を一時的に保管する。このように、ロット番号「７」のロットに属する物品を保管するとともに、空山を確保することができる。
【００７６】
この処理は前記図１を用いると次のようになる。
所定量蓄積時間が所定時間以下でなく（前記ステップＳ２）、ロット番号「７」のロットに属する物品のロット蓄積量が所定量以上でなく、且つ空山数が所定数以上でないので（前記ステップＳ５）、ロット番号「７」のロットに属する物品の仮山を決定する。
【００７７】
ここで、既にロット番号「４」のロットの物品が保管されている山Ｃを仮山に決定している。すなわち、置場の空山数を計測し（前記ステップＳ１１）、その空山数が所定数未満であるので（前記ステップＳ１２）、既に物品が積まれ、且つ上積み予定のない山のうちから、当該山の物品の出荷時刻がロット番号「７」のロットに属する物品の所定量蓄積時刻よりも後となる山であるロット番号「４」のロットの物品が積まれている山Ｃを選定し、この山Ｃを仮山に決定している。そして、この山Ｃを仮山として当該ロット番号「７」のロットに属する物品を一時的に保管する。
【００７８】
図５による説明に戻り、既にロット番号「４」のロットの物品が保管されている山Ｃを仮山として使用してロット番号「７」のロットの物品を保管することで、山Ｅは空山状態になる。
これにより、次ロットであるロット番号「８」のロットに属する物品を山Ｅで保管可能になり、置場の保管能力を高めることができる。
【００７９】
また、山Ｃでは、ロット番号「４」のロットの物品とロット番号「７」のロットの物品とが混載された状態になっているが、山Ｃは、ロット番号「４」のロットの物品をさらに上積みする予定のない山であり、「４」のロットの物品の出荷時刻がロット番号「７」のロットの物品の所定量蓄積時刻、すなわち仮山から保管山への集約時刻よりも後となる山である。これにより、複数のロットで山が混載状態になっても、出荷の際の配替作業が発生することもなく、置場の保管能力を高めることができる。
【００８０】
【発明の効果】
以上説明したように、本発明によれば、置場に同一ロットに属するの物品が揃うのに長時間を要するようなときに、同一ロットが属する物品の一時的に仮山に保管し、その後、保管山に集約することで、同一ロットに属する物品用として不要に山を占有する時間を短くすることができる。この結果、山が複数のロットで混載状態になってしまうことを抑止することができ、また、空山数の減少を最小限に抑えることもできる。これにより、出荷の際の配替作業を低減することができ、また、置場の保管能力を高めることができる。
【００８１】
また、特に請求項６記載の発明によれば、置場内の空山の数が所定数未満であるときには、既に他のロットの板状物品が積まれた山であり、且つ仮山として利用可能な山を仮山とすることで、空山数の減少を最小限に抑えつつ、例えば、前記他のロットの上に前記同一ロットに属するの物品を上積みして混載状態となった場合でも、出荷の際の配替作業をなくすことを可能にする。
【図面の簡単な説明】
【図１】本発明の実施の形態である置場管理方法の処理手順を示すフローチャートである。
【図２】本発明の実施の形態である置場管理方法において仮山を決定する処理手順を示すフローチャートである。
【図３】比較例としての従来手法による置場管理の説明に使用した図である。
【図４】比較例としての従来手法による置場管理の説明の補足に使用した図である。
【図５】本発明を適用した置場管理の説明に使用した図である。
【図６】置場に物品が揃うまでに要する時間の説明に使用した図である。
【図１】
2004091065.tif 000004
【図２】
2004091065.tif 000005
【図３】
2004091065.tif 000006
【図４】
2004091065.tif 000007
【図５】
2004091065.tif 000008
【図６】
2004091065.tif 000009
【手続補正書】
【提出日】平成15年1月24日(2003.1.24)
【手続補正１】
【補正対象書類名】明細書
【補正対象項目名】請求項５
【補正方法】変更
【補正の内容】
【請求項５】
前記同一ロットに属する板状物品の量が、複数の山を使用して積載される板状物品相当量であるとき、
一つの山に積載される板状物品相当量毎の板状物品について、前記同一ロットに属する板状物品の搬入量速度を得て、
前記一つの山に積載される板状物品相当量毎に、前記同一ロットに属する板状物品の量が所定量以上か否かを判定し、且つ、前記搬入量速度が所定速度以上であるか否かを判定し、
前記判定の結果に基づいて、前記一つの山に積載される板状物品相当量毎の同一ロットに属する板状物品について、前記保管山への保管、又は前記仮山への保管並びに前記保管山への集約及び保管を行うことを特徴とする請求項１乃至４のいずれかに記載の板状物品の置場管理方法。
【手続補正２】
【補正対象書類名】明細書
【補正対象項目名】００１３
【補正方法】変更
【補正の内容】
【００１３】
また、請求項５記載の発明に係る板状物品の置場管理方法は、請求項１乃至４のいずれかに記載の発明に係る板状物品の置場管理方法において、前記同一ロットに属する板状物品の量が、複数の山を使用して積載される板状物品相当量であるとき、一つの山に積載される板状物品相当量毎の板状物品について、前記同一ロットに属する板状物品の搬入量速度を得て、前記一つの山に積載される板状物品相当量毎に、前記同一ロットに属する板状物品の量が所定量以上か否かを判定し、且つ、前記搬入量速度が所定速度以上であるか否かを判定し、前記判定の結果に基づいて、前記一つの山に積載される板状物品相当量毎の同一ロットに属する板状物品について、前記保管山への保管、又は前記仮山への保管並びに前記保管山への集約及び保管を行うことを特徴としている。